(57)【要約】【課題】血管などの保持する対象物をねじ曲げて裏返すことなく、例えば手前側から向こう側に反転させることで縫合などの処理を行うための空間を確保できるようにした、クリップを提供する。【解決手段】先端側が開閉可能に構成された一対の保持片４ａ、４ｂと、保持片４ａ、４ｂをその先端側が閉じる方向に付勢する付勢部材と、保持片４ａ、４ｂの先端部に設けられて、保持片４ａ、４ｂの先端側の開閉動作に追従して開閉する一対の挟持片７ａ、７ｂと、を有してなるクリップ２である。一対の挟持片７ａ、７ｂは、保持片４ａ、４ｂに対してその開閉方向に、相対的に回動可能に設けられている。【選択図】図２
2010136749.tif 000002
【特許請求の範囲】
【請求項１】
先端側が開閉可能に構成された一対の保持片と、
前記保持片をその先端側が閉じる方向に付勢する付勢部材と、
前記保持片の先端部に設けられて、前記保持片の先端側の開閉動作に追従して開閉する一対の挟持片と、を有してなり、
前記一対の挟持片は、前記保持片に対してその開閉方向に、相対的に回動可能に設けられていることを特徴とするクリップ。
【請求項２】
前記保持片と前記挟持片とのうちの一方には、その開閉方向と直交する面に、略半円の外周の周面を有する凹部からなる第１係合部が設けられ、
前記保持片と前記挟持片とのうちの他方には、その開閉方向と直交する面に、前記第１係合部に係合し、かつ、該第１係合部の前記周面に沿って摺動する摺動部からなる第２係合部が設けられ、
前記第１係合部は、前記一対の保持片の先端側と前記一対の挟持片とが閉じた状態で、一対の前記凹部が略円の周面を形成するよう構成され、
前記第２係合部は、前記第１係合部の凹部のなす略円の周面を摺動することにより、前記一対の挟持片が前記一対の保持片に対して、相対的に回動可能になっていることを特徴とする請求項１記載のクリップ。
【請求項３】
前記一対の挟持片は、該挟持片間を連結し、かつ、該挟持片を開く方向に付勢する付勢連結部によって連結されてなり、これによって前記一対の挟持片は、該挟持片の開く方向への付勢力により、前記一対の保持片に着脱可能かつ回動可能に保持されていることを特徴とする請求項１又は２に記載のクリップ。
【請求項４】
前記一対の挟持片は、前記一対の保持片に対し、正逆方向に３６０°回動可能に設けられていることを特徴とする請求項１〜３のいずれか一項に記載のクリップ。
【請求項５】
前記第２係合部には、前記第１係合部の周面に摺動する摺動部の摺動面より内方に、前記第１係合部がなす略円と同心円の略外周の周面を有する凹部からなる第３係合部が設けられ、
前記第１係合部には、前記第３係合部の凹部のなす周面を摺動する摺動部からなる第４係合部が設けられていることを特徴とする請求項２記載のクリップ。
【請求項６】
前記第３係合部には、その周面に凹凸による段差部が形成され、前記第４係合部は、前記段差部のうちの凹部に係合し保持されるよう構成されていることを特徴とする請求項５記載のクリップ。
【請求項７】
前記保持片は、その先端部が間隔をあけて左右に設けられた一対のアームからなり、前記挟持片は、前記一対のアーム間に配設されていることを特徴とする請求項１〜６のいずれか一項に記載のクリップ。
【請求項８】
請求項１〜７のいずれか一項に記載のクリップを一対有し、これら一対のクリップに、その保持片どうしを連結する連結軸が設けられていることを特徴とするクリップ。
【請求項９】
医療用であり、血管等の管状組織を挟持するものであることを特徴とする請求項１〜８のいずれか一項に記載のクリップ。
【発明の詳細な説明】
【技術分野】
【０００１】
本発明は、主に医療用として用いられるクリップに関する。
【背景技術】
【０００２】
従来、例えば腹腔内の手術時などにおいて、血管の縫合の際に血管の断端部を保持固定する際には、特許文献１に開示されているような止血用の血管クリップが用いられている。この血管クリップは、先端側が開閉可能に構成された一対の保持片と、これら保持片をその先端側が閉じる方向に付勢するバネとを有してなるものである。
【０００３】
このような血管クリップを用いて血管を縫合する場合、まず、血管に対してその手前側から該血管の両断端部をそれぞれ前記血管クリップで挟持（保持）する。次いで、血管クリップを向こう側に反転させて血管を裏返し、その後、手前側において血管の縫合を行う。このように血管クリップを向こう側に反転させることで、手前側に血管クリップが存在せず、したがって血管クリップに干渉されることなく縫合を容易に行うことができるようになる。
【特許文献１】特開２０００−３３３９６５号公報
【発明の開示】
【発明が解決しようとする課題】
【０００４】
ところが、血管は比較的大きな張力を有しているため、縫合を行っている際、血管の張力によって裏返された血管が元に戻り、血管クリップが手前側に戻ってしまうことがある。すると、縫合している箇所がずれてしまい、また、手前側に血管クリップがあることでこれに干渉され、縫合処理がやりにくくなってしまう。したがって、その場合には、再度血管クリップを向こう側に反転させ、血管を裏返して先の縫合していた状態に戻す必要がある。
【０００５】
このような課題に対し、前記の特許文献１の血管吻合用治具では、平坦なゴム製シートに、吻合（縫合）すべき血管断端を載置するための平坦な頂上部を備えた断面截頭三角形状の吻合用隆起を設け、前記吻合用隆起の両端に支持台を設け、前記支持台に、血管クリップを固定可能にする張り出し腕を設けている。すなわち、血管クリップを反転させた後、前記の張り出し腕に係止させて固定することにより、血管クリップが手前側に戻ることを防止している。
【０００６】
しかしながら、前記の血管縫合用治具は比較的大きなスペースを必要とする。一方、血管などのクリップに保持される管状組織には、必ずしも前記の血管縫合用治具を用いることができないような位置にあるものもある。したがって、このような管状組織では、前記の血管縫合用治具が使えないことから、血管の張力によって血管クリップが手前側に戻ってしまうといった課題が、依然として残っているのが現状である。
【０００７】
本発明は前記事情に鑑みてなされたもので、血管などの保持する対象物をねじ曲げて裏返すことなく、例えば手前側から向こう側に反転させることで縫合などの処理を行うための空間を確保できるようにした、クリップを提供することを目的としている。
【課題を解決するための手段】
【０００８】
本発明のクリップは、先端側が開閉可能に構成された一対の保持片と、
前記保持片をその先端側が閉じる方向に付勢する付勢部材と、
前記保持片の先端部に設けられて、前記保持片の先端側の開閉動作に追従して開閉する一対の挟持片と、を有してなり、
前記一対の挟持片は、前記保持片に対してその開閉方向に、相対的に回動可能に設けられていることを特徴としている。
【０００９】
このクリップによれば、一対の挟持片を、保持片に対してその開閉方向に、相対的に回動可能に設けているので、例えば手前側から一対の挟持片によって血管等の保持対象物を挟持（保持）し、挟持片をその状態にしたままで、一対の保持片側を向こう側に反転させることが可能になる。
【００１０】
また、前記クリップにおいて、前記保持片と前記挟持片とのうちの一方には、その開閉方向と直交する面に、略半円の外周の周面を有する凹部からなる第１係合部が設けられ、
前記保持片と前記挟持片とのうちの他方には、その開閉方向と直交する面に、前記第１係合部に係合し、かつ、該第１係合部の前記周面に沿って摺動する摺動部からなる第２係合部が設けられ、
前記第１係合部は、前記一対の保持片の先端側と前記一対の挟持片とが閉じた状態で、一対の前記凹部が略円の周面を形成するよう構成され、
前記第２係合部は、前記第１係合部の凹部のなす略円の周面を摺動することにより、前記一対の挟持片が前記一対の保持片に対して、相対的に回動可能になっているのが好ましい。
このようにすれば、一対の挟持片によって血管等の保持対象物を挟持（保持）することにより、その状態で一対の保持片のみを向こう側に反転させることが可能になる。
【００１１】
また、前記クリップにおいて、前記一対の挟持片は、該挟持片間を連結し、かつ、該挟持片を開く方向に付勢する付勢連結部によって連結されてなり、これによって前記一対の挟持片は、該挟持片の開く方向への付勢力により、前記一対の保持片に着脱可能かつ回動可能に保持されているのが好ましい。
このようにすれば、挟持片の付勢連結部によるバネ性によって挟持片が一対の保持片に着脱可能に保持されているので、例えば医療用として用いられる場合に、対象物に直接接する挟持片のみを、使用後交換することが可能になる。
【００１２】
また、前記クリップにおいて、前記一対の挟持片は、前記一対の保持片に対し、正逆方向に３６０°回動可能に設けられているのが好ましい。
このようにすれば、挟持片に対する保持片の可動範囲が非常に広いため、保持片を所望する位置にまで容易に回すことが可能になる。
【００１３】
また、前記クリップにおいて、前記第２係合部には、前記第１係合部の周面に摺動する摺動部の摺動面より内方に、前記第１係合部がなす略円と同心円の略外周の周面を有する凹部からなる第３係合部が設けられ、
前記第１係合部には、前記第３係合部の凹部のなす周面を摺動する摺動部からなる第４係合部が設けられていてもよい。
このようにすれば、前記第２係合部の摺動面側が、前記第１摺動部の周面と前記第４係合部の摺動部の摺動面との間に保持され、これによって前記一対の挟持片は、前記一対の保持片に回動可能に保持されるようになる。
【００１４】
また、前記クリップにおいて、前記第３係合部には、その周面に凹凸による段差部が形成され、前記第４係合部は、前記段差部のうちの凹部に係合し保持されるよう構成されているのが好ましい。
このようにすれば、挟持片に対して保持片を回動させ反転させた際、前記第４係合部を、前記第３係合部の前記段差部のうちの凹部に係合させることにより、これに対応する位置で保持片を挟持片に対して相対的に固定することが可能になる。
【００１５】
また、前記クリップにおいて、前記保持片は、その先端部が間隔をあけて左右に設けられた一対のアームからなり、前記挟持片は、前記一対のアーム間に配設されているのが好ましい。
このようにすれば、対象物に直接接する挟持片を保持片より小さく形成することができ、したがって前記対象物が狭小部にある場合にも、これに対応して該対象物を挟持することが可能になる。
【００１６】
また、本発明のクリップにおいては、前記のクリップを一対有し、これら一対のクリップに、その保持片どうしを連結する連結軸が設けられていてもよい。
このようにすれば、例えば血管の断端を縫合する場合のように保持する対象物が一対ある場合に、一対のクリップでそれぞれを保持することができ、しかもこれらクリップが連結軸で連結されているため、一対の保持対象物を連結軸の長さに対応する所定の間隔に保持することが可能になる。
【００１７】
また、前記クリップは、医療用であり、血管等の管状組織を挟持するものであってもよい。
このようにすれば、例えば血管の断端を縫合する際、挟持片で血管を挟持し保持した後、血管をねじ曲げて裏返すことなく、保持片を手前側から向こう側に反転させることにより、縫合などの処理を行うための空間を確保することができる。
【発明の効果】
【００１８】
本発明のクリップにあっては、例えば手前側から一対の挟持片によって血管等の保持対象物を挟持（保持）し、挟持片をその状態にしたままで一対の保持片側を向こう側に反転させることができるので、手前側に縫合などの処理を行うための空間を確保することができ、したがって縫合などの処理を行い易くすることができる。
【発明を実施するための最良の形態】
【００１９】
以下、図面を参照して本発明をより詳しく説明する。
図１（ａ）、（ｂ）、図２（ａ）、（ｂ）、図３は、本発明のクリップの第１実施形態を示す図である。なお、図１（ａ）、（ｂ）はクリップの使用形態を示す斜視図であり、図１（ａ）、（ｂ）において符号１は２連クリップ、符号２は単位クリップである。また、図２、図３は単位クリップ２の構成を示す図であって、図２（ａ）は単位クリップ２の開いた状態を示す斜視図、（ｂ）は単位クリップ２の開いた状態を示す側面図、図３は単位クリップ２の分解斜視図である。
【００２０】
図１（ａ）、（ｂ）に示すように２連クリップ１は、二つ（一対）の単位クリップ２を、連結軸３によって連結したものである。単位クリップ２は、本実施形態では血管等の管状組織を挟持する医療用のものである。なお、以下の説明においては、単位クリップ２を省略してクリップ２と記すこともある。
【００２１】
クリップ２は、図２（ａ）、（ｂ）に示すように先端側が開閉可能に構成された一対の保持片４ａ、４ｂと、図３に示すようにこれら保持片４ａ、４ｂ間に取り付けられるトーションバネ（付勢部材）５と、このトーションバネ５を保持片４ａ、４ｂに固定するための軸６と、保持片４ａ、４ｂの先端部に設けられた挟持片７ａ、７ｂと、を有して構成されたものである。なお、本実施形態においては、トーションバネ５を保持片４ａ、４ｂに固定するための軸６は、図１に示した連結軸３からなっている。
【００２２】
保持片４ａ（４ｂ）は、ＡＢＳ樹脂などの合成樹脂によって形成されたもので、図３に示すように後端側に指で摘むための摘み部８ａ（８ｂ）を有し、中央部に貫通孔（図示せず）を有した一対の軸受け９ａ、９ａ（９ｂ、９ｂ）を有し、先端側に前記挟持片７ａ、７ｂを保持するための一対のアーム１０ａ、１０ａ（１０ｂ、１０ｂ）を有して形成されたものである。また、保持片４ａ（４ｂ）は、側面視した状態で、軸受け９ａを中心にしてこの軸受け９ａと反対の側に、く字状に折曲させられている。
【００２３】
一対のアーム１０ａ、１０ａ（１０ｂ、１０ｂ）は、間隔をあけて保持片４ａ（４ｂ）の左右に配設されたもので、これらの間に挟持片７ａ（７ｂ）を保持したものである。これらアーム１０ａ（１０ｂ）には、その内面に第１係合部１１ａ（１１ｂ）が形成されている。第１係合部１１ａ（１１ｂ）は、略半円、つまり半円のなす円弧より短い円弧に対応した半円様の形状の凹部からなるもので、後述するように挟持片７ａ、７ｂを閉じ、したがってアーム１０ａ（１０ｂ）を閉じた状態で、一対の第１係合部１１ａ、１１ｂによって略円形の凹部を形成するように構成されている。よって、このように挟持片７ａ、７ｂを閉じた状態では、一対の第１係合部１１ａ、１１ｂはそれぞれの内周面１１ｃにより、円形の外周の周面の大半を形成するようになっている。
【００２４】
挟持片７ａ、７ｂは、これらの後端部間を連結し、かつ、該挟持片７ａ、７ｂを開く方向に付勢する付勢連結部７ｃによって連結されたもので、ＡＢＳ樹脂などの合成樹脂によって一体に形成されたものである。付勢連結部７ｃは、Ｕ字状に形成された薄厚の板材からなるもので、これによって挟持片７ａ、７ｂを、一定の開き角度に保持するものである。したがって、挟持片７ａ、７ｂが前記の開き角度より小さい角度となるように閉じられると、付勢連結部７ｃは弾性変形することから、これが元に戻ろうとする弾性復帰力により、挟持片７ａ、７ｂを開く方向に付勢するようになっている。
【００２５】
一対の挟持片７ａ、７ｂは、鳥のくちばし状に形成配置されたもので、後端側から先端側に行くに連れて漸次細く、かつ薄くなるように形成されたものである。また、これら挟持片７ａ、７ｂの挟持面（保持面）となる内面には、該挟持片７ａ、７ｂの長さ方向と直交する方向に延びる突条及び溝からなる凹凸（図示せず）が、滑り止めとして形成されている。これによって挟持片７ａ、７ｂは、挟持対象物をより確実に挟持（保持）できるようになっている。また、挟持片７ａ（７ｂ）には、その両側の外面に、それぞれ前記第１係合部１１ａ（１１ｂ）に係合する第２係合部１２ａ（１２ｂ）が形成されている。第２係合部１２ａ（１２ｂ）は、略半円盤状の凸部（摺動部）からなるもので、その円弧状の外周面１２ｃが、前記第１係合部１１ａ（１１ｂ）の内周面１１ｃに摺動する摺動面となっている。
【００２６】
すなわち、第２係合部１２ａ、１２ｂは、挟持片７ａ、７ｂが閉じた際に当接することで円盤状となるように形成されている。したがって、前述したように挟持片７ａ、７ｂが閉じた際に円形の外周の周面の大半を形成するようになっている第１係合部１１ａ、１１ｂに対して、第２係合部１２ａ、１２ｂは正逆方向に３６０°回動可能になっており、これによって一対の挟持片７ａ、７ｂは、一対の保持片４ａ、４ｂに対して、その開閉方向に３６０°回動可能になっている。なお、挟持片７ａ（７ｂ）における第２係合部１２ａ（１２ｂ）の中心から先端までの距離は、アーム１０ａ（１０ｂ）における第１係合部１１ａ（１１ｂ）の中心から後端までの距離より短くなっている。したがって、挟持片７ａ（７ｂ）はアーム１０ａ（１０ｂ）の根本（後端）側に干渉されることなく、アーム１０ａ、１０ａ（１０ｂ、１０ｂ）間を、その開閉方向に３６０°回動可能になっている。
【００２７】
また、一対の挟持片７ａ、７ｂは、前記したように付勢連結部７ｃによって開く方向に付勢されていることから、保持片４ａ、４ｂのそれぞれのアーム１０ａ、１０ｂ間において、第２係合部１２ａ（１２ｂ）の外周面（摺動面１２ｃ）が第１係合部１１ａ（１１ｂ）の内周面（摺動面１１ｃ）を押圧するようになっている。したがって、一対の挟持片７ａ、７ｂは、付勢連結部７ｃの付勢力によって一対の保持片４ａ、４ｂ間に保持されている。また、後述するように保持片４ａ、４ｂの先端側のアーム１０ａ、１０ｂを開いた際には、これに追従して挟持片７ａ、７ｂも開くようになっており、さらにその状態から閉じた際には、これに追従して閉じるようになっている。
【００２８】
なお、保持片４ａ、４ｂを開いた状態において、例えば挟持片７ａ、７ｂを指で摘んで閉じることにより、前記付勢連結部７ｃの付勢力による押圧が解除されるため、これら挟持片７ａ、７ｂを保持片４ａ、４ｂから容易に取り外すことができる。また、逆の操作を行うことにより、挟持片７ａ、７ｂを保持片４ａ、４ｂ間に容易に取り付けることができる。したがって、本実施形態においては、挟持片７ａ、７ｂは保持片４ａ、４ｂに対して着脱可能に保持されている。
【００２９】
また、図１（ａ）、（ｂ）に示した２連クリップ１において、一対のクリップ（単位クリップ）２、２は、連結軸３（軸６）に対してその周方向に回動不能に設けられており、これによって一対のクリップ２、２は、互いの挟持片７ａ、７ｂが同一の方向に向いて配置されている。また、これら一対のクリップ２、２は、連結軸３（軸６）に対してその軸方向に移動することなく固定されて設けられている。これによって一対のクリップ２、２は、その間隔が予め設定された間隔に保持されている。ただし、一対のクリップ２、２については、ある程度の押圧力を加えることでその軸方向に摺動可能になっていてもよく、その場合には、その間隔を任意に設定することが可能になる。
【００３０】
次に、このような構成の２連クリップ１の使用方法として、血管の断端を縫合する場合について説明する。
まず、図４（ａ）に示す血管１５の断端１５ａ、１５ａを縫合可能な状態に突き合わせ、その状態で、手前側より一方の単位クリップ２で一方の断端１５ａ側を挟持する。また、同様にして他方の単位クリップ２で他方の断端１５ａ側を挟持する。
【００３１】
詳しくは、保持片４ａ、４ｂの摘み部８ａ、８ｂを指で摘み、その先端側のアーム１０ａ、１０ｂを開く。すると、挟持片７ａ、７ｂはアーム１０ａ、１０ｂに追従することにより、これら挟持片７ａ、７ｂもその先端側が開く。そして、挟持片７ａ、７ｂの先端側で血管１５の断端１５ａ側を挟み、その状態で保持片４ａ、４ｂの摘み部８ａ、８ｂへの押圧を解除する。これにより、保持片４ａ、４ｂはトーションバネ５の付勢力によって閉じ、挟持片７ａ、７ｂもこれに追従して閉じることにより、血管１５を止血した状態に挟持する。このようにすると、一対のクリップ２、２は連結軸３によってその間隔が固定されているので、これらクリップ２、２に血管１５の断端１５ａ、１５ａが挟持されることにより、断端１５ａ、１５ａもその間隔が固定されたものとなる。
【００３２】
このようにして二つの単位クリップ２で二つの断端１５ａ側を挟持したら、それぞれの保持片４ａ、４ｂの摘み部８ａ、８ｂ側を、図４（ｂ）に示すように手前側から向こう側、すなわち血管１５の奥側に反転させる。すると、手前側に縫合などの処理を行うための空間を確保することができるため、血管１５の断端１５ａ、１５ａの縫合処理が行い易くなる。また、血管１５を挟持する挟持片７ａ、７ｂについては回動させることなく手前側に残しておくため、血管１５にはほとんどねじれが発生しない。したがって、血管１５はその張力による戻りがないため、クリップ２、２は挟持片７ａ、７ｂ、保持片４ａ、４ｂの状態を変化させることなく、設定した状態に保持される。なお、クリップ２、２は連結軸３（軸６）に対してその周方向に回動不能になっているので、これら一対のクリップ２、２は、互いの挟持片７ａ、７ｂを同一の方向に向けたままに保持される。
【００３３】
また、縫合処理が終了した後には、図４（ａ）に示したように保持片４ａ、４ｂの摘み部８ａ、８ｂを手前側に戻し、その後、摘み部８ａ、８ｂを摘んで挟持片７ａ、７ｂを開き、縫合後の血管１５から取り外す。
このように本実施形態の２連クリップ１によれば、手前側から挟持片７ａ、７ｂによって血管１５の断端１５ａ、１５ａを挟持（保持）し、挟持片７ａ、７ｂをその状態にしたままで保持片側４ａ、４ｂを向こう側に反転させることができるので、手前側に縫合処理を行うための空間を確保することができ、したがって縫合処理を行い易くすることができる。
【００３４】
また、保持片４ａ、４ｂに対して挟持片７ａ、７ｂが着脱可能に保持されているので、前記のように医療用として用いる場合に、使用後、血管１５などに直接接する挟持片７ａ、７ｂのみを交換し、保持片４ａ、４ｂについては再使用することが可能になる。したがって、使用に要するコストを十分に低減することができる。
【００３５】
なお、前記実施形態では血管１５に対して手前側からクリップ２、２の挟持片７ａ、７ｂで挟持するようにしたが、図５に示すように血管１５の上側から挟持片７ａ、７ｂで挟持し、その後保持片４ａ、４ｂを向こう側に反転させてもよい。このようにすれば、手前側に挟持片７ａ、７ｂも残らないため、縫合処理を行うための空間を手前側により大きく確保することができる。
【００３６】
次に、本発明のクリップの第２実施形態を説明する。この第２実施形態のクリップも、図１に示したように二つ（一対）の単位クリップを連結軸で連結した２連クリップであり、血管等の管状組織を挟持する医療用のものである。また、図６、図７は本実施形態に係る単位クリップ２１の構成を示す図であって、図６（ａ）は単位クリップの閉じた状態を示す斜視図、（ｂ）は単位クリップ２の開いた状態を示す斜視図、図７は単位クリップ２の分解斜視図である。
【００３７】
図６（ａ）、（ｂ）、図７に示すように本実施形態に係る単位クリップ２１も、先端側が開閉可能に構成された一対の保持片２２ａ、２２ｂと、図７に示すようにこれら保持片２２ａ、２２ｂ間に取り付けられるトーションバネ（付勢部材）５と、このトーションバネ５を保持片２２ａ、２２ｂに固定するための軸６（連結軸３）と、保持片２２ａ、２２ｂの先端部に設けられた挟持片２３ａ、２３ｂと、を有して構成されたものである。
【００３８】
すなわち、このクリップ（単位クリップ）２１が図２（ａ）、（ｂ）、図３に示したクリップ２と異なるところは、第１係合部１１ａ、１１ｂ、第２係合部１２ａ、１２ｂの構成と、挟持片２３ａ、２３ｂが付勢連結部７ｃで連結されることなく、それぞれ独立して形成されている点である。なお、本実施形態の挟持片２３ａ、２３ｂは第１実施形態の挟持片７ａ、７ｂと異なり、後端側から先端側に行くに連れて漸次細く、かつ薄くなるように形成されておらず、先端側と後端側とが同形状に形成されている。
これら挟持片２３ａ、２３ｂに設けられた、略半円盤状の凸部（摺動部）からなる第２係合部１２ａ（１２ｂ）には、本実施形態では図７に示したように凹部からなる第３係合部２４ａ（２４ｂ）が形成されている。
【００３９】
第３係合部２４ａ（２４ｂ）は、凸部（摺動部）からなる第２係合部１２ａ（１２ｂ）の、第１係合部１１ａ（１１ｂ）の内周面に対して摺動する外周面（摺動面１１ｃ）より内方に形成されたもので、第２係合部１２ａ（１２ｂ）の端面形状と略相似状の開口面を有するものである。すなわち、これら第３係合部２４ａ（２４ｂ）は、図８に示すようにその略半円状の開口における円弧部分に対応する内周面２４ｃが、一対の第１係合部１１ａ、１１ｂがなす略円と同心円の外周部分となるように形成されており、これによってこの内周面２４ｃが、実質的に本発明における第３係合部として機能するようになっている。
【００４０】
ただし、本実施形態では、図８に示したように内周面２４ｃには波状の凹凸による段差部が形成されており、したがってこの内周面２４ｃがなす平面視形状は、円弧状とはならない。しかし、例えば凹凸の中心線を結んだ曲線、あるいは外側の頂点を結んだ曲線、又は内側の頂点を結んだ曲線が円弧状となり、このような円弧が前記したように第１係合部１１ａ、１１ｂがなす略円と同心円の外周となるように形成されている。そして、これによって本発明においては、波状の凹凸による段差部を有した内周面２４ｃは、第１係合部１１ａ、１１ｂがなす略円と同心円の外周部分になっているものとしている。
【００４１】
一方、図７に示すように保持片２２ａ、２２ｂのアーム１０ａ、１０ｂに形成された、略半円状の凹部からなる第１係合部１１ａ（１１ｂ）には、同じく凹部からなる前記第３係合部２４ａ（２４ｂ）の内周面２４ｃに摺動する、突起状の第４係合部２５ａ（２５ｂ）が形成されている。第４係合部２５ａ（２５ｂ）は、図８に示すように前記内周面２４ｃに相対的に摺動する摺動部となるもので、この内周面２４ｃにおける波状の段差部のうちの凹部に係合し、ここに保持されるように形成配置されたものである。
【００４２】
このような構成のもとに挟持片２３ａ（２３ｂ）は、保持片２２ａ（２２ｂ）のアーム１０ａ、１０ａ（１０ｂ、１０ｂ）間に回動可能に挟持され、保持されたものとなっている。すなわち、第２係合部１２ａ（１２ｂ）の摺動面（湾曲面）１２ｃ側が、第１摺動部１１ａ（１１ｂ）の内周面（摺動面１１ｃ）と第４係合部（摺動部）２５ａ（２５ｂ）の摺動面との間に保持され、これによって挟持片２３ａ（２３ｂ）は、保持片２２ａ（２２ｂ）のアーム１０ａ、１０ａ（１０ｂ、１０ｂ）間に保持されている。
【００４３】
なお、保持片２２ａ（２２ｂ）や挟持片２３ａ（２３ｂ）は樹脂からなっているので、多少の弾性変形が可能になっている。したがって、アーム１０ａ、１０ａ（１０ｂ、１０ｂ）間を広げてここに挟持片２３ａ（２３ｂ）を差し入れ、さらに第２係合部１２ａ（１２ｂ）を第１係合部１１ａ（１１ｂ）内に嵌め込むことにより、第４係合部２５ａ（２５ｂ）を第３係合部２４ａ（２４ｂ）内に入れ込むことができる。また、このようにして第１係合部１１ａ（１１ｂ）に第２係合部１２ａ（１２ｂ）を係合させ、さらに第３係合部２４ａ（２４ｂ）に第４係合部２５ａ（２５ｂ）を係合させると、一旦広げられたアーム１０ａ、１０ａ（１０ｂ、１０ｂ）間は元の状態に戻り、ここに挟持片２３ａ（２３ｂ）が保持されるようになる。
【００４４】
そして、第１実施形態と同様に第２係合部１２ａ（１２ｂ）は、その摺動面１２ｃが第１係合部１１ａ（１１ｂ）の摺動面１１ｃに摺動するようになる。また、第４係合部２５ａ（２５ｂ）も、第３係合部２４ａ（２４ｂ）の内周面２４ｃを摺動するようになる。ただし、内周面２４ｃは前記したように波状の凹凸になっているので、第４係合部２５ａ（２５ｂ）が凸部分に当接しているときにはその係合状態が安定せず、凹部分に当接しているときに安定する。したがって、第４係合部２５ａ（２５ｂ）は内周面２４ｃ（第３係合部２４ａ（２４ｂ））の凹部のなす部位において安定的に係止し、ここに保持されるようになっている。つまり、第４係合部２５ａ（２５ｂ）が内周面２４ｃ（第３係合部２４ａ（２４ｂ））の凹部のなす部位において係止することにより、保持片２２ａ（２２ｂ）に対する挟持片２３ａ（２３ｂ）の相対的な回動が規制されるようになっているのである。
【００４５】
ここで、第３係合部２４ａ（２４ｂ）は閉じた凹部であり、摺動面となる内周面２４ｃはその両端で平面視直線状の内壁面２４ｄに繋がっている。したがって、第４係合部２５ａ（２５ｂ）は内周面２４ｃに対して相対的に摺動した際、その両端部においては内壁面２４ｄに規制され、それ以上の回動が不能になっている。よって、本実施形態では、先の第１実施形態とは異なり、挟持片２３ａ（２３ｂ）は保持片２２ａ（２２ｂ）に対して正逆方向に３６０°回動することなく、約１８０°の可動範囲、つまり、図６（ａ）に示したように保持片２２ａ（２２ｂ）のアーム１０ａ（１０ｂ）の長さ方向に沿う初期位置に対し、正逆方向にそれぞれ約９０°（９０°弱）回動するようになっている。
【００４６】
このような構成のクリップ２１を一対備えた２連クリップを用いて、血管の断端を縫合する場合にも、図４（ａ）、（ｂ）に示した第１実施形態とほぼ同様にして行うことができる。
すなわち、図４（ａ）に示したように血管１５の断端１５ａ、１５ａを縫合可能な状態に突き合わせ、その状態で、例えば手前側より一方の単位クリップ２１で一方の断端１５ａ側を挟持し、他方の単位クリップ２１で他方の断端１５ａ側を挟持する。
【００４７】
このようにして二つの単位クリップ２１で二つの断端１５ａ側を挟持したら、それぞれの保持片２２ａ、２２ｂの摘み部８ａ、８ｂ側を、血管１５の奥側に向けて回動させる。ただし、本実施形態では挟持片２３ａ（２３ｂ）は、保持片２２ａ（２２ｂ）に対して図６（ａ）に示した初期の状態からは一方向に約９０°しか回動できないため、保持片２２ａ（２２ｂ）は血管１５の上方に留まるようになる。なお、このような挟持片２３ａ（２３ｂ）に対する保持片２２ａ（２２ｂ）の相対的な位置については、図８に示した第３係合部２４ａ（２４ｂ）の内周面２４ｃの凹部と、第４係合部２５ａ（２５ｂ）との間の係止によって決まる。したがって、保持片２２ａ（２２ｂ）を回動させて移動させる位置については、挟持片２３ａ（２３ｂ）に対する相対的な可動範囲において、前記の内周面２４ｃの凹部に対応する位置のうちから、任意の位置を選択することができる。
【００４８】
このようにして保持片２２ａ、２２ｂを回動させると、血管１５の手前側に縫合などの処理を行うための空間を確保することができるため、先の第１実施形態と同様に、血管１５の断端１５ａ、１５ａの縫合処理が行い易くなる。また、血管１５を挟持する挟持片７ａ、７ｂについては回動させることなく手前側に残しておくため、血管１５にはほとんどねじれが発生せず、したがってクリップ２１、２１は設定した状態に保持される。なお、クリップ２１、２１は連結軸３（軸６）に対してその周方向に回動不能になっているので、これら一対のクリップ２１、２１も、第１実施形態と同様に互いの挟持片２３ａ、２３ｂを同一の方向に向けたままに保持される。
また、縫合処理が終了した後には、保持片２２ａ、２２ｂの摘み部８ａ、８ｂを手前側に戻し、その後、摘み部８ａ、８ｂを摘んで挟持片７ａ、７ｂを開き、縫合後の血管１５から取り外す。
【００４９】
このように本実施形態の２連クリップにあっても、手前側から挟持片２３ａ、２３ｂによって血管１５の断端１５ａ、１５ａを挟持（保持）し、挟持片２３ａ、２３ｂをその状態にしたままで保持片側２２ａ、２２ｂを回動させることができるので、手前側に縫合処理を行うための空間を確保することができ、したがって縫合処理を行い易くすることができる。
また、保持片２２ａ、２２ｂのアーム１０ａ、１０ａ（１０ｂ、１０ｂ）間を広げることで挟持片２３ａ、２３ｂを容易に取り外すことができるので、使用後これら挟持片２３ａ、２３ｂのみを交換し、保持片２２ａ、２２ｂについては再使用することができる。
【００５０】
なお、本実施形態においても、図５に示したように血管１５に対して上側から挟持片２３ａ、２３ｂで挟持し、その後保持片２２ａ、２２ｂを向こう側に反転させてもよい。
また、この第２実施形態においては、第３係合部２４ａ、２４ｂの内周面２４ｃを波状の凹凸による段差部とし、その凹部において第４係合部２５ａ（２５ｂ）を保持固定することで保持片２２ａ（２２ｂ）に対する挟持片２３ａ（２３ｂ）の相対的な位置を任意の位置に固定できるようにしたが、本発明では内周面２４ｃに凹凸を形成することなく、円孔の内周面と同じ湾曲面に形成してもよい。
【００５１】
さらに、前記実施形態では、保持片に第１係合部１１ａ、１１ｂを形成し、挟持片に第２係合部１２ａ、１２ｂを形成したが、逆に、保持片に第２係合部１２ａ、１２ｂを形成し、挟持片に第１係合部１１ａ、１１ｂを形成してもよい。
また、前記実施形態では図１に示したように一対の単位クリップを連結軸で連結することにより、２連クリップとして使用するようにしたが、連結軸によって３つ以上の単位クリップを連結することにより、使用するようにしてもよい。また、もちろん１つの単位クリップのみで使用するようにしてもよい。
【００５２】
さらに、前記実施形態では本発明のクリップを医療用として用いるようにしたが、本発明のクリップは医療用以外にも種々の用途に用いることができる。例えば、一対の樹脂製チューブの端部間をレーザ照射によって溶着する場合にも、本発明の２連クリップを用いることで、その処理を容易にすることができる。同様に、水道管等の金属配管を溶接によって繋げる場合にも、使用することができる。
また、洗濯ばさみとして用いることもでき、さらには、水道管などの配管内に入り込んだものを配管の開口側から抜き出す用途にも、応用することができる。その場合にも、保持片に対して挟持片が回動することを利用することで、その操作が容易になることなどが期待できる。
【図面の簡単な説明】
【００５３】
【図１】（ａ）、（ｂ）は本発明の第１実施形態に係るクリップを示す斜視図である。
【図２】（ａ）は単位クリップの開いた状態を示す斜視図、（ｂ）は単位クリップの開いた状態を示す側面図である。
【図３】単位クリップの分解斜視図である。
【図４】（ａ）、（ｂ）は図１に示したクリップの使用方法を説明するための斜視図である。
【図５】図１に示したクリップの使用方法を説明するための斜視図である。
【図６】（ａ）は単位クリップの閉じた状態を示す斜視図、（ｂ）は単位クリップの開いた状態を示す斜視図である。
【図７】単位クリップの分解斜視図である。
【図８】第３係合部及び第４係合部の構成を説明するための要部拡大図である。
【符号の説明】
【００５４】
１…２連クリップ、２…単位クリップ（クリップ）、３…連結軸、４ａ、４ｂ…保持片、５…トーションバネ（付勢部材）、６…軸、７ａ、７ｂ…挟持片、７ｃ…付勢連結部、１０ａ、１０ｂ…アーム、１１ａ、１１ｂ…第１係合部、１１ｃ…摺動面、１２ａ、１２ｂ…第２係合部、１２ｃ…摺動面、１５…血管、１５ａ…断端、２１…単位クリップ（クリップ）、２２ａ、２２ｂ…保持片、２３ａ、２３ｂ…挟持片、２４ａ、２４ｂ…第３係合部、２４ｃ…摺動面、２５ａ、２５ｂ…第４係合部
【図１】
2010136749.tif 000003
【図２】
2010136749.tif 000004
【図３】
2010136749.tif 000005
【図４】
2010136749.tif 000006
【図５】
2010136749.tif 000007
【図６】
2010136749.tif 000008
【図７】
2010136749.tif 000009
【図８】
2010136749.tif 000010